(57)【要約】      （修正有）【課題】データのフィルタ解析を実現するためにフィルタリング条件を動的に生成することができる方法およびシステムを提供する。【解決手段】ソース・データのプロパティ特性を抽出して、それを選択ユニットへ送る抽出ユニット１と、データのフィルタ処理が実行されるための少なくとも一つのプロパティ特性を選択し、それをフィルタリング条件生成ユニットへ送る選択ユニット２と、選択された少なくとも一つのプロパティ特性に従って、少なくとも一つのプロパティ特性にそれぞれ対応する少なくとも一つのフィルタ処理モジュールを生成し、該少なくとも一つのフィルタ処理モジュールを結合してフィルタリング条件を生成するフィルタリング条件生成ユニット３と、フィルタリング条件に従ってソース・データへのフィルタ処理を実行することによって目標データを生成するデータフィルタ解析ユニット４とを備える。【選択図】図１
2015049576.tif 000002
【特許請求の範囲】
【請求項１】
ソース・データのプロパティ特性を抽出して、それを選択ユニットへ送るための抽出ユニットと、
データのフィルタ処理が実行されるための少なくとも一つの前記プロパティ特性を選択するとともに、選択されたプロパティ特性をフィルタリング条件生成ユニットへ送るための前記選択ユニットと、
前記選択された少なくとも一つのプロパティ特性に従って、前記少なくとも一つのプロパティ特性にそれぞれ対応する少なくとも一つのフィルタ処理モジュールを生成するとともに該少なくとも一つのフィルタ処理モジュールを結合してフィルタリング条件を生成するフィルタリング条件生成ユニットと、
前記フィルタリング条件に従ってソース・データへのフィルタリングを実行することによって目標データを生成するデータフィルタ解析ユニットとを備えることを特徴とするデータをフィルタ処理するシステム。
【請求項２】
前記フィルタリング条件生成ユニットは、
前記選択された少なくとも一つのプロパティ特性を受信して、フィルタ処理項目名、フィルタ方法、前記選択されたプロパティ特性にそれぞれ対応するフィルタ領域、マッチング方法およびフィルタ処理パラメータ値を有する少なくとも一つのフィルタ処理項目を生成して、それをフィルタ処理モジュール生成モジュールへ送るフィルタ処理項目生成モジュールと、
前記フィルタ処理項目にそれぞれ対応する少なくとも一つのフィルタ処理モジュールを生成して、それを制御モジュールへ送る前記フィルタ処理モジュール生成モジュールと、
前記少なくとも一つのフィルタ処理モジュールを結合してフィルタリング条件を生成するための前記制御モジュールとを備えることを特徴とする請求項１記載のデータをフィルタ処理するシステム。
【請求項３】
前記フィルタリング条件生成ユニットは、
前記選択された少なくとも一つのプロパティ特性を受信して、フィルタ処理項目名、フィルタ処理項目優先度、フィルタ方法、前記選択されたプロパティ特性にそれぞれ対応するフィルタ領域、マッチング方法およびフィルタ処理パラメータ値を有する少なくとも一つのフィルタ処理項目を生成して、それをフィルタ処理モジュール生成モジュールへ送るフィルタ処理項目生成モジュールと、
前記フィルタ処理項目にそれぞれ対応する少なくとも一つのフィルタ処理モジュールを生成して、それを制御モジュールへ送る前記フィルタ処理モジュール生成モジュールと、
前記フィルタ処理項目優先度に従って前記少なくとも一つのフィルタ処理モジュールを結合してフィルタリング条件を生成する前記制御モジュールとを備えることを特徴とする請求項１記載のデータをフィルタ処理するシステム。
【請求項４】
前記フィルタ方法は、パラメータ確保フィルタ処理およびパラメータ除去フィルタ処理を含み、前記パラメータ確保フィルタ処理は、前記フィルタ処理項目に合うデータを確保することを意味し、前記パラメータ除去フィルタ処理は、前記フィルタ処理項目に合うデータを捨てることを意味することを特徴とする請求項１乃至３のいずれかに記載のデータをフィルタ処理するシステム。
【請求項５】
前記マッチング方法は、完全文字一致、前方文字一致、後方文字一致、ファジー・マッチまたはセクション・マッチを含むことを特徴とする請求項１乃至３のいずれかに記載のデータをフィルタ処理するシステム。
【請求項６】
前記選択ユニットおよび前記フィルタリング条件生成ユニットと接続されているとともに必要な情報を入力するための入力装置を更に備えることを特徴とする請求項１乃至３のいずれかに記載のデータをフィルタ処理するシステム。
【請求項７】
前記抽出ユニットおよび前記フィルタリング条件生成ユニットと接続されているとともに該抽出ユニットおよび該フィルタリング条件生成ユニットからの情報を表示するためのディスプレイユニットを更に備えることを特徴とする請求項１乃至３のいずれかに記載のデータをフィルタ処理するシステム。
【請求項８】
ソース・データのプロパティ特性を抽出するステップＡ１と、データのフィルタ処理が実行されるための少なくとも一つのプロパティ特性を選択するステップＡ２と、選択された前記プロパティ特性に従ってフィルタ処理モジュールを生成するとともに該フィルタ処理モジュールを結合して、フィルタリング条件を生成するステップＡ３と、前記フィルタリング条件に従ってソース・データをフィルタ処理して目標データを生成するステップＡ４とを含むことを特徴とするデータをフィルタ処理する方法。
【請求項９】
前記ステップＡ３は、フィルタ処理項目名、フィルタ方法、前記選択されたプロパティ特性にそれぞれ対応しているフィルタ領域、マッチング方法およびフィルタ処理パラメータ値を有する少なくとも一つのフィルタ処理項目を生成することと、前記フィルタ処理項目にそれぞれ対応する少なくとも一つのフィルタ処理モジュールを生成することと、該少なくとも一つのフィルタ処理モジュールを結合してフィルタリング条件を生成することとを含むことを特徴とする請求項８記載のデータをフィルタ処理する方法。、
【請求項１０】
前記ステップＡ３は、フィルタ処理項目名、フィルタ処理項目優先度、フィルタ方法、前記選択されたプロパティ特性にそれぞれ対応しているフィルタ領域、マッチング方法およびフィルタ処理パラメータ値を有する少なくとも一つのフィルタ処理項目を生成することと、前記フィルタ処理項目にそれぞれ対応するフィルタ処理モジュールを生成することと、前記フィルタ処理項目優先度に従って前記少なくとも一つのフィルタ処理モジュールを結合してフィルタリング条件を生成することとを含むことを特徴とする請求項８記載のデータをフィルタ処理する方法。
【請求項１１】
前記フィルタ方法は、パラメータ確保フィルタ処理およびパラメータ除去フィルタ処理を含み、該パラメータ確保フィルタ処理は、前記フィルタ処理項目に合うデータを確保することを意味し、該パラメータ除去フィルタ処理は、前記フィルタ処理項目に合うデータを捨てることを意味することを特徴とする請求項８乃至１０のいずれかに記載のデータをフィルタ処理する方法。
【請求項１２】
前記マッチング方法は、完全文字一致、前方文字一致、後方文字一致、ファジー・マッチまたはセクション・マッチを含むことを特徴とする請求項８乃至１０のいずれかに記載のデータをフィルタ処理する方法。
【発明の詳細な説明】
【技術分野】
【０００１】
本発明は、情報処理の技術分野に関し、特に、モジュールの自由な組換えに基づく、データをフィルタ処理するシステム及び方法に関する。
【背景技術】
【０００２】
従来技術においては、３種類のデータフィルタリングがある。
【０００３】
フィルタリングの第１の方法は、完全に静的であり、そこにおいて、データのフィルタ処理は、プログラム命令における所与のフィルタリング条件に基づいて実行される。
【０００４】
フィルタリングの第２の方法は、完全に開いている動的フィルタリングである。
例えば、１つのフィルタ条件が＜＝９である場合、フィルタリング・パラメータとしての「＜＝」およびフィルタリング・パラメータとしての「９」は、両方とも、外部からのいかなる入力も受け入れる。
しかしながら、一旦、外部から入力されたフィルタリング・パラメータがフィルタ処理データ項目に特有の論理に合わないならば、データのフィルタリングは、実行されることが出来ない。
例えば、フィルタ処理データ項目の値が時間的文字列である場合、フィルタリング条件は、しかしながら、特定の統合された値より小さいように動的に設定される。
【０００５】
フィルタリングの第３の方法は、半分開いている動的フィルタリングである。
すなわち、テンプレート原型は、フィルタ処理パラメータの外部入力および開いたフィルタ処理パラメータ値の入力を定めることのために用いられ、そして、フィルタ処理パラメータがデータ・テンプレート原型のパラメータとしばしば矛盾する課題を解決するために、すなわち、フィルタ処理パラメータがフィルタ処理データ項目に特有の論理に合うことを確実にするために、用いられる。
例えば、データをフィルタ処理する方法は、中国特許公開公報２００９１０２４９７２５．３号において開示された。
【０００６】
既存のデータは、一般にさまざまなプロパティ特性を有する。
例えばバンク・カードの取り引きデータを利用することには、取り引き金額プロパティ、取り引きカテゴリープロパティ、カード発行人プロパティ、などがある。ユーザは、一般に、要求されるとおり、異なる条件下で異なるプロパティ特性との関係においてデータのフィルタ処理を実行しなければならない。
データのフィルタ処理を取扱う従来技術において、前述のフィルタ方法は、テンプレート原型がフィルタ処理パラメータの選択を定めるために使われ、そして、フィルタ処理パラメータ値の動的入力システムが導入されるということで最も一般的である。
しかしながら、フィルタ処理テンプレートは、通常前もってカスタマイズされ、アプリケーションシステム自体に密接に連結しているから、現実的なデータ特性に従ってフィルタ処理項目の自由な組み換えおよび経時的な調整を実行することができなくて、ビジネスの発展および変化に対する要件を満たすことができない。
また、フィルタ処理要求が連続的に変化しているときに、以降の解析データは、データ冗長性をある程度生成するから、フィルタ・スクリーニングとなって、無意味になる。
【０００７】
加えて、既存のデータフィルタ処理メカニズムは、通常、所与のフィルタ処理テンプレートに基づいているとともにアプリケーションシステムに密接に連結しているから、自由な組み換えを実行することが別々に分割されることができないという事実は、一旦、ビジネスが変化する、そして、データ解析メカニズムが新規な要求を有するならば、もたらされる損失がシステムレベルでの大規模なソースプログラムの改訂およびアプリケーションシステム資源の反復供給であるという結果になるということが、引き起こされてしまう。
【発明の概要】
【０００８】
上記に鑑み、本発明の目的は、データのフィルタ解析を実現するためにフィルタリング条件を動的に生成することができる、データをフィルタ処理する方法およびシステムを提供することである。
【０００９】
本発明は、
ソース・データのプロパティ特性を抽出して、それを選択ユニットへ送るための抽出ユニットと、
データのフィルタ処理が実行されるための少なくとも一つのプロパティ特性を選択するとともに、選択されたプロパティ特性をフィルタリング条件生成ユニットへ送るための前記選択ユニットと、
前記選択された少なくとも一つのプロパティ特性に従って、前記少なくとも一つのプロパティ特性にそれぞれ対応する少なくとも一つのフィルタ処理モジュールを生成するとともに該少なくとも一つのフィルタ処理モジュールを結合してフィルタリング条件を生成する前記フィルタリング条件生成ユニットと、
前記フィルタリング条件に従ってソース・データへのフィルタリングを実行することによって目標データを生成するデータフィルタ解析ユニットとを備える、データをフィルタ処理するシステムを提供する。
【００１０】
本発明のデータをフィルタ処理するシステムにおいて、前記フィルタリング条件生成ユニットは、
前記選択された少なくとも一つのプロパティ特性を受信して、フィルタ処理項目名、フィルタ方法、前記選択されたプロパティ特性にそれぞれ対応するフィルタ領域、マッチング方法およびフィルタ処理パラメータ値を有する少なくとも一つのフィルタ処理項目を生成して、それをフィルタ処理モジュール生成モジュールへ送るフィルタ処理項目生成モジュールと、
前記フィルタ処理項目にそれぞれ対応する少なくとも一つのフィルタ処理モジュールを生成して、それを制御モジュールへ送るための前記フィルタ処理モジュール生成モジュールと、
前記少なくとも一つのフィルタ処理モジュールを結合してフィルタリング条件を生成するための前記制御モジュールとを備えてもよい。
【００１１】
本発明のデータをフィルタ処理するシステムにおいて、前記フィルタリング条件生成ユニットは、
前記選択された少なくとも一つのプロパティ特性を受信して、フィルタ処理項目名、フィルタ処理項目優先度、フィルタ方法、前記選択されたプロパティ特性にそれぞれ対応するフィルタ領域、マッチング方法およびフィルタ処理パラメータ値を有する少なくとも一つのフィルタ処理項目を生成して、それをフィルタ処理モジュール生成モジュールへ送るフィルタ処理項目生成モジュールと、
前記フィルタ処理項目にそれぞれ対応する少なくとも一つのフィルタ処理モジュールを生成して、それを制御モジュールへ送る前記フィルタ処理モジュール生成モジュールと、
前記フィルタ処理項目優先度に従って前記少なくとも一つのフィルタ処理モジュールを結合してフィルタリング条件を生成するための前記制御モジュールとを備えてもよい。
【００１２】
本発明のデータをフィルタ処理するシステムにおいて、前記フィルタ方法は、パラメータ確保フィルタ処理およびパラメータ除去フィルタ処理を含んでもよく、
前記パラメータ確保フィルタ処理は、前記フィルタ処理項目に合うデータを確保することを意味し、
前記パラメータ除去フィルタ処理は、前記フィルタ処理項目に合うデータを捨てることを意味する。
【００１３】
本発明のデータをフィルタ処理するシステムにおいて、前記マッチング方法は、完全文字一致、前方文字一致、後方文字一致、ファジー・マッチまたはセクション・マッチを含んでもよい。
【００１４】
本発明のデータをフィルタ処理するシステムにおいて、前記システムは、前記選択ユニットおよび前記フィルタリング条件生成ユニットと接続されているとともに必要な情報を入力するための入力装置を更に備えてもよい。
【００１５】
本発明のデータをフィルタ処理するシステムにおいて、前記システムは、前記抽出ユニットおよび前記フィルタリング条件生成ユニットと接続されているとともに該抽出ユニットおよび該フィルタリング条件生成ユニットからの情報を表示するためのディスプレイユニットを更に備えてもよい。
【００１６】
また、本発明は、
ソース・データのプロパティ特性を抽出するステップＡ１と、
データのフィルタ処理が実行されるための少なくとも一つのプロパティ特性を選択するステップＡ２と、
選択された前記プロパティ特性に従ってフィルタ処理モジュールを生成するとともに該フィルタ処理モジュールを結合して、フィルタリング条件を生成するステップＡ３と、
前記フィルタリング条件に従ってソース・データをフィルタ処理して目標データを生成するステップＡ４とを含む、データをフィルタ処理する方法を提供する。
【００１７】
本発明のデータをフィルタ処理する方法において、ステップＡ３は、
フィルタ処理項目名、フィルタ方法、前記選択されたプロパティ特性にそれぞれ対応しているフィルタ領域、マッチング方法およびフィルタ処理パラメータ値を有する少なくとも一つのフィルタ処理項目を生成することと、
前記フィルタ処理項目にそれぞれ対応する少なくとも一つのフィルタ処理モジュールを生成することと、
前記少なくとも一つのフィルタ処理モジュールを結合してフィルタリング条件を生成することとを含んでもよい。
【００１８】
本発明のデータをフィルタ処理する方法において、ステップＡ３は、
フィルタ処理項目名、フィルタ処理項目優先度、フィルタ方法、前記選択されたプロパティ特性にそれぞれ対応しているフィルタ領域、マッチング方法およびフィルタ処理パラメータ値を有する少なくとも一つのフィルタ処理項目を生成することと、
前記フィルタ処理項目にそれぞれ対応するフィルタ処理モジュールを生成することと、
前記フィルタ処理項目優先度に従って前記少なくとも一つのフィルタ処理モジュールを結合してフィルタリング条件を生成することとを含んでもよい。
【００１９】
本発明のデータをフィルタ処理する方法において、前記フィルタ方法は、パラメータ確保フィルタ処理およびパラメータ除去フィルタ処理を含んでもよく、
該パラメータ確保フィルタ処理は、前記フィルタ処理項目に合うデータを確保することを意味し、
該パラメータ除去フィルタ処理は、前記フィルタ処理項目に合うデータを捨てることを意味する。
【００２０】
本発明のデータをフィルタ処理する方法において、前記マッチング方法は、完全文字一致、前方文字一致、後方文字一致、ファジー・マッチまたはセクション・マッチを含んでもよい。
【００２１】
本発明によってもたらされる技術的な効果は、次のとおりである。
（１）第１に、イノベーションが設計概念に関してなされた。
前もって設定されているとともにデータ・テンプレート原型パラメータと整合しているフィルタ処理パラメータのフィルタ処理項目テンプレートは、必要とされない。
データ・テンプレート原型の方法は、ある程度、フィルタ処理項目の柔軟性を制限するのに対して、本発明は、フィルタ処理メカニズムがアプリケーションシステムとは切り離された方法を使用しているとともに、該フィルタ処理項目が柔軟に定められ、そして、該システムが、データの特性およびビジネスの変更に従ってフィルタ処理項目のフィルタ処理論理と、フィルタ処理モジュールの組合せおよび編成とを自動的に調整することができるように、フィルタ処理モジュールが自由に組み換えられる。このようにして、データのフィルタ解析を柔軟に成し遂げる。
このように、データの特性が変化するときに、フィルタ処理モジュールは、データ特性の変更および圧力に効率的に適応するように自由に組み換えられることができるということが、確保される。
【００２２】
（２）コードまたはデータの冗長性が最小化され、これらのデータが流れているまたは使われているときに、占有されたシステム資源は、より少なくて合理的であるので、システム資源の使用および運用の高効率が確保される。
従って、システム精度を確保するのだけれども、システム・データの圧力が減少するとともに、システムの安定性は確保される。
【００２３】
（３）本発明によるシステム及び方法の使用において、プログラムコードまたはデータ・モデルを探究するユーザのための出費は減少する一方、既存のソフトウェア資源の利用も、改善されるので、ビジネス要求条件の変化によって生じる反復開発が回避される。
【図面の簡単な説明】
【００２４】
【図１】図１は、本発明によるデータをフィルタ処理するシステムの概略構成図である。
【図２】図２は、本発明によるデータをフィルタ処理する方法の概略フローチャートである。
【００２５】
［発明の詳細な説明］
本発明の好ましい実施態様は、添付の図面を参照して以下に記載し、同一の要素は同一の参照符号によって示されている。
図１は、本発明によるデータをフィルタ処理するシステムの概略構成図である。
示すとおり、データをフィルタ処理するシステムは、抽出ユニット１、選択ユニット２、フィルタリング条件生成ユニット３、データフィルタ解析ユニット４、ディスプレイユニット５および入力ユニット６を備える。
【００２６】
フィルタリング条件生成ユニット３は、フィルタ処理項目生成モジュール３０と、フィルタ処理モジュール生成モジュール３１と、制御モジュール３２とを備えている。
【００２７】
抽出ユニット１は、ソース・データのプロパティ特性を抽出して、それを選択ユニット２およびディスプレイユニット５へ送るという役目をする。
【００２８】
選択ユニット２は、ディスプレイユニット５と接続されている。その結果、ユーザが、データのフィルタ処理が実行されるための少なくとも一つのプロパティ特性を、入力ユニット５の手段によって選択することができて、選択されたプロパティ特性をフィルタリング条件生成ユニット３のフィルタ処理項目生成モジュール３０へ送ることができる。
【００２９】
フィルタ処理項目生成モジュール３０は、前記選択された少なくとも一つのプロパティ特性を受信して、フィルタ処理項目１、フィルタ処理項目２、・・・、フィルタ処理項目ｎ（ｎは、１以上）を生成するとともに、そのフィルタ処理項目をフィルタ処理モジュール生成モジュール３１へ送る。因みに、各フィルタ処理項目は、フィルタ処理項目名、フィルタ法、前記選択されたプロパティ特性にそれぞれ対応するフィルタ領域、マッチング方法およびフィルタ処理パラメータ値を有している。
前記フィルタ処理項目は、フィルタ処理項目優先度を更に有してもよい。
ユーザは、入力ユニット６の手段によって前記フィルタ処理項目の各部分の内容を入力することができる。
【００３０】
前記フィルタ方法は、パラメータ確保フィルタ処理、および、パラメータ除去フィルタ処理を含むことができ、
該パラメータ確保フィルタ処理は、フィルタ処理項目に合うデータを確保することを意味し、
該パラメータ除去フィルタ処理は、フィルタ処理項目に合うデータを捨てることを意味する。
【００３１】
前記マッチング方法は、完全文字一致、前方文字一致、後方文字一致、ファジー・マッチまたはセクション・マッチを含む。
完全文字一致の方法は、整数タイプまたは文字タイプの「＝」フィルタリングを実行することができる。
前方文字一致は、マッチした数値の先頭位置からの任意の位置で数に対する「＝」フィルタリングを達成することができる。
後方文字一致は、マッチした数値の最後位置から前方へ遡った任意の位置で数に対する「＝」フィルタリングを達成することができる。
ファジー・マッチは、典型的「同類」方法に類似したマッチを達成することができる。すなわち、マッチした数値がフィルタ処理パラメータ値のデータフィルタリングに似ているかまたはそのことを含む。
セクション・マッチは、「＞」、「＜」の方法、または文字タイプの従属関係マッチなどに類似した整数タイプ・マッチを達成することができる。このマッチングの方法は、フィルタ処理パラメータをテンプレート原型に固定する際の限界を受けることのない、考えられる全てのフィルタ処理パラメータ論理をカバーすることができる。
上記のマッチの方法の説明は、単に典型的なだけであり、当業者は、本発明の保護の範囲から越脱することなしに、実際に必要とされる新規なマッチング方法を導入することができる。
【００３２】
フィルタ処理モジュール生成モジュール３１は、前記フィルタ処理項目を、ページ形式で該フィルタ処理項目を表示するディスプレイユニット５へも送る。
【００３３】
フィルタ処理モジュール生成モジュール３１は、フィルタ処理モジュール１、フィルタ処理モジュール２、・・・、フィルタ処理モジュールｎを生成して、それらを制御モジュールへ送る。因みに、該フィルタ処理モジュールは、フィルタ処理項目にそれぞれ対応する。
例えば、フィルタ処理モジュールは、前記フィルタ処理項目に従って生成されるとともにフィルタリングのための前記制御モジュールにロードされるコード・インストラクション・モジュールであってもよい。
【００３４】
制御モジュール３２は、前記少なくとも一つのフィルタ処理モジュールを結合して、フィルタリング条件を生成する。
制御モジュール３２は、前記フィルタ処理項目優先度に従って前記少なくとも一つのフィルタ処理モジュールを結合してフィルタリング条件を生成してもよい。
【００３５】
データフィルタ解析ユニット４は、前記フィルタリング条件に従ってソース・データをフィルタ処理して目標データを生成する。
【００３６】
図２は、本発明によるデータをフィルタ処理する方法の概略フローチャートである。
示すとおり、前記方法は、
ソース・データのプロパティ特性を抽出するステップＡ１と、
データのフィルタ処理が実行されるための少なくとも一つのプロパティ特性を選択するステップＡ２と、
選択されたプロパティ特性に従ってフィルタ処理モジュールを生成するとともに、該フィルタ処理モジュールを結合してフィルタリング条件を生成するステップＡ３と、
前記フィルタリング条件に従ってソース・データをフィルタ処理して目標データを生成するステップＡ４とを含む。
【００３７】
因みに、ステップＡ３は、
少なくとも一つのフィルタ処理項目（各フィルタ処理項目がフィルタ処理項目名、フィルタ方法、前記選択されたプロパティ特性にそれぞれ対応しているフィルタ領域、マッチンング方法およびフィルタ処理パラメータ値を有する）を生成することと、
前記フィルタ処理項目にそれぞれ対応する少なくとも一つのフィルタ処理モジュールを生成することと、
前記少なくとも一つのフィルタ処理モジュールを結合してフィルタリング条件を生成することを含んでよい。
【００３８】
任意には、ステップＡ３は、
少なくとも一つのフィルタ処理項目（各フィルタ処理項目がフィルタ処理項目名、フィルタ処理項目優先度、フィルタ方法、前記選択されたプロパティ特性にそれぞれ対応しているフィルタ領域、マッチング方法およびフィルタ処理パラメータ値を有する）を生成することと、
前記フィルタ処理項目にそれぞれ対応するフィルタ処理モジュールを生成することと、
前記フィルタ処理項目優先度に従って前記少なくとも一つのフィルタ処理モジュールを結合してフィルタリング条件を生成することとを含んでよい。
【００３９】
本発明で、以降のデータのフィルタ処理の特性が変化する場合、フィルタ処理モジュールは、データのフィルタ処理の再編成および連続的結合を実現するように、ユーザの要求に従って組み換えられることができる。このようにして、より良好なシステム性能を得る。
【００４０】
前記説明は、単に本発明の好ましい実施態様の概念図な説明だけである。
当業者は、他の実施例や、組合せおよび変更態様を直ちに想定することができる。
従って、本発明は、単に上の説明および添付の図面を参照しながら付された特許請求の範囲によって定義されるだけである。
【図１】
2015049576.tif 000003
【図２】
2015049576.tif 000004